(57)【特許請求の範囲】
【請求項１】
集束イオンビーム装置と共用可能であり、荷電粒子装置により観察される試料を支持する荷電粒子線装置用試料ホルダにおいて、
複数個の試料台を各々設置可能な複数個の試料ステージと、
前記複数個の試料ステージのうち少なくとも一つを移動可能な試料駆動部と、
前記試料ホルダの先端を回転させるための回転機構と、
試料ホルダの長軸方向に移動可能な粗動機構、及び直交した三軸方向に移動可能な微動機構と、を備え、
前記試料駆動部が、前記回転機構の回転に伴って回転することにより、集束イオンビーム装置内で前記複数個の試料台に支持された複数個の試料を加工可能とし、
当該複数個の試料から透過型電子顕微鏡像、電子回折像、スペクトル像、または走査透過型電子顕微鏡像を取得可能とし、
前記回転機構の回転に伴い、前記粗動機構、及び前記微動機構が回転することを特徴とする荷電粒子線装置用試料ホルダ。
【請求項２】
請求項１に記載の荷電粒子線用試料ホルダにおいて、
前記スペクトル像は電子エネルギー損失スペクトル像であることを特徴とする荷電粒子線用試料ホルダ。
【請求項３】
請求項１に記載の荷電粒子線装置用試料ホルダにおいて、
前記試料ホルダの先端には荷電粒子線を通過させるための開口部を備えることを特徴とする荷電粒子装置用試料ホルダ。
【請求項４】
請求項１に記載の荷電粒子線装置用試料ホルダにおいて、
前記試料台は前記試料ステージに試料台押さえ板および押さえネジにより固定されることを特徴とする荷電粒子装置用試料ホルダ。
【請求項５】
集束イオンビーム装置と共用可能である透過型電子顕微鏡用試料ホルダにおいて、
複数個の試料台を各々設置可能な複数個の試料ステージと、
前記複数個の試料ステージのうち少なくとも一つ試料台を移動可能な試料駆動部と、
前記試料ホルダの先端を回転させるための回転機構と、
試料ホルダの長軸方向に移動可能な粗動機構、及び直交した三軸方向に移動可能な微動機構と、を備え、
前記試料駆動部が、前記回転機構の回転に伴って回転することにより、透過型電子顕微鏡により観察する場合と集束イオンビーム装置により透過型電子顕微鏡用試料を作製する場合の試料の配置を回転とし、
前記回転機構の回転に伴い、前記粗動機構、及び前記微動機構が回転することを特徴とする透過型電子顕微鏡用試料ホルダ。
【請求項６】
請求項５に記載の透過型電子顕微鏡用試料ホルダにおいて、
前記スペクトル像は電子エネルギー損失スペクトル像であることを特徴とする透過型電子顕微鏡用試料ホルダ。
【請求項７】
請求項５に記載の透過型電子顕微鏡用試料ホルダにおいて、
前記試料ホルダの先端部に電子線の通過方向とは異なる方向に開放されているホルダ先端開口部を備えたことを特徴とする透過型電子顕微鏡用試料ホルダ。
【請求項８】
請求項７に記載の透過型電子顕微鏡用試料ホルダにおいて、
ホルダ先端開口部は電子線の通過方向に対して垂直な方向に開放されているホルダ先端開口部を備えることを特徴とする透過型電子顕微鏡用試料ホルダ。
【請求項９】
請求項５に記載の透過型電子顕微鏡用試料ホルダにおいて、
試料ステージに試料台の高さを可変することができる高さ調整ネジを備えることを特徴とする透過型電子顕微鏡用試料ホルダ。
【請求項１０】
請求項５に記載の透過型電子顕微鏡用試料ホルダにおいて、
前記試料台に固定された試料は透過型電子顕微鏡に付随した電子分光器のエネルギー分散軸に直行する方向に配置されることを特徴とする透過型電子顕微鏡用試料ホルダ。
【請求項１１】
請求項５に記載の透過型電子顕微鏡用試料ホルダにおいて、
前記試料台は前記試料ステージに試料台押さえ板および押さえネジにより固定されることを特徴とする透過型電子顕微鏡用試料ホルダ。
【請求項１２】
イオンビームにより試料を薄片化し、
前記薄片化した試料の観察や元素分析するための電子線の入射方向に対して少なくとも垂直な方向に開放されたホルダ先端開口部を有し、
複数個の試料台を設置可能な試料ホルダに固定された試料に対し、
前記試料台のうち少なくとも一つを試料駆動部により移動させて前記複数個の試料台を近接させ、
前記ホルダ先端開口部から前記複数個の試料台に支持された試料に各々前記イオンビームを照射し、
前記イオンビームの入射方向とは垂直な方向に前記複数個の試料を薄片化するステップと、
前記試料ホルダ先端開口部の回転に伴って前記試料駆動部を回転させ、前記複数個の試料の配置を回転させるステップと、
前記回転に伴い、前記試料ホルダの長軸方向に移動可能な粗動機構、及び直交した三軸方向に移動可能な微動機構を回転させるステップと、
前記複数個の試料台に支持させた状態で前記複数個の試料から前記透過型電子顕微鏡像、電子回折像、スペクトル像、または走査透過型電子顕微鏡像を得るステップを備えたことを特徴とする試料分析方法。
【請求項１３】
請求項１２に記載の試料分析方法において、
前記スペクトル像は電子エネルギー損失スペクトル像であることを特徴とする試料分析方法。
【請求項１４】
請求項１２に記載の試料分析方法において、
前記試料台は、前記試料ホルダの試料ステージに試料台押さえ板および押さえネジにより固定されることを特徴とする試料分析方法。
【請求項１５】
請求項１乃至４の荷電粒子線装置用試料ホルダを搭載した荷電粒子線装置。
【請求項１６】
請求項５乃至１１の透過型電子顕微鏡用試料ホルダを搭載した透過型電子顕微鏡。
【発明の詳細な説明】
【技術分野】
【０００１】
本発明は、試料を設置した試料台を複数個配置可能であり、少なくとも一つの試料台が三軸方向に移動可能である透過型電子顕微鏡用試料ホルダにおいて、集束イオンビーム内で複数個のＴＥＭ試料加工を可能とする。
【背景技術】
【０００２】
半導体デバイスや磁気デバイス等の加工寸法が微細化し、高集積化するとともに、これまで以上にデバイス特性の劣化や信頼性の低下が重要な問題となっている。近年では、新規プロセスの開発や量産過程で、ナノメータ領域の半導体デバイスの不良を解析し、不良の原因を根本的に突き止め解決するために、（走査）透過型電子顕微鏡（（Scanning）Transmission Electron Microscopy：（Ｓ）ＴＥＭ）による像観察のみならず電子回折による結晶構造解析や電子エネルギー損失分光法（Electron Energy Loss Spectroscopy：ＥＥＬＳ）、エネルギー分散型Ｘ線分光法（Energy Dispersive X-ray spectroscopy：ＥＤＸ）等を用いたスペクトル分析や二次元元素分布分析が必須の解析手段となっている。
【０００３】
また、リチウムイオン電池の正極材料等のエネルギー環境材料において、従来以上の飛躍的な材料特性の向上が望まれている。材料特性を向上させるためには、ナノレベルでの構造、化学結合状態の制御が重要な鍵を握る。そのため、上述の解析技術のニーズが増加している。
【０００４】
ここで、上述の解析手段の中から、電子エネルギー損失スペクトルの測定方法について詳細に説明する。
【０００５】
電子エネルギー損失スペクトルには、試料を通過する際にエネルギーを損失しないゼロロススペクトル、価電子帯の電子を励起してエネルギーを損失することにより得られるプラズモンロススペクトル、内殻電子を励起してエネルギーを損失することにより得られる内殻電子励起損失スペクトルに大別できる。内殻電子励起損失（コアロス）スペクトルでは、吸収端近傍に微細構造が観察される。
【０００６】
この構造は、吸収端微細構造（Energy Loss Near-Edge Structure：ＥＬＮＥＳ）と呼ばれ、試料の電子状態や化学結合状態を反映した情報を有している。また、エネルギー損失値（吸収端位置）は元素固有であるため、定性分析が可能である。また、ケミカルシフトと呼ばれる吸収端位置のシフトから注目元素の周辺の配位に関連する情報も得ることができるため、簡易的な状態分析も可能である。
【０００７】
従来、試料上の異なる箇所での電子エネルギー損失スペクトルを取得する場合は、小さく絞った電子線を走査コイルにより試料上を走査させる走査透過型電子顕微鏡と、電子線の有するエネルギー量により分光可能な電子分光器とを組み合わせることにより、試料を透過してきた電子線を分光させて、電子エネルギー損失スペクトルを連続的に取得していた。
【０００８】
しかしながら、この手法の場合、装置周辺の外乱変化に伴う電子線の加速電圧のドリフトや磁場・電場変化により、電子エネルギー損失スペクトルの収差や原点位置が変化するため、各測定位置での電子エネルギー損失スペクトルの吸収端微細構造の形状やわずかなケミカルシフトを比較することは難しい。
【０００９】
そこで、例えば特許文献１には、通常の透過型電子顕微鏡ではｘ軸，ｙ軸双方の焦点位置を同一面にした透過型電子顕微鏡像を得るのに対し、上述の透過型電子顕微鏡に電子分光器を備え、ｘ軸とｙ軸での焦点位置を異ならせることにより、ｘ軸の焦点位置はスペクトル面、一方のｙ軸の焦点位置は像面とした二次元画像を画像検出器により取得することが記載されている。
【００１０】
その結果、試料のｙ軸方向での電子エネルギー損失スペクトルを分離して観察することができる。すなわち、画像検出器により得られる画像は、図２（ｂ）に示されるように、ｘ軸はエネルギー損失量すなわちエネルギー分散軸、ｙ軸は試料の位置情報を有するスペクトル像として観察することができる。スペクトル像は、図２（ａ）で示される透過型電子顕微鏡像の各積層膜に対応して、帯状に観察される。また、図２（ａ）より、各積層膜に対応した各箇所で、スペクトル像の強度プロファイルを抽出すると、図２（ｃ）に示されるように、試料の異なる位置の電子エネルギー損失スペクトルを同時に観察することが可能であり、異なる位置での電子エネルギー損失スペクトルの吸収端微細構造やわずかなケミカルシフトを詳細に比較することができる。
【００１１】
特許文献１に記載されたｘ軸がエネルギー損失量、ｙ軸が試料の位置情報を有するスペクトル像は、電子分光器等のレンズ作用を変更し、ｘ軸とｙ軸の焦点位置を異ならせ、画像検出器により得られる二次元画像であり、すなわち、試料の異なる位置の複数点の電子エネルギー損失スペクトルを同時に観察することが可能である。本技術において、一つの試料中の異なる複数点からスペクトル像すなわち電子エネルギー損失スペクトルを取得し、化学結合状態の違いによるケミカルシフトを議論するための技術について開示されている。
【００１２】
また、特許文献２には、複数個の試料からスペクトル像を同時に取得し、電子エネルギー損失スペクトルおよびケミカルシフトの測定が可能な透過型電子顕微鏡用試料ホルダが開示されている。
【００１３】
特許文献２に開示されている透過型電子顕微鏡用試料ホルダは、複数個の試料台を配置可能な試料ステージを有している。また、少なくとも一つの試料ステージは駆動機構により移動可能であり、複数個の試料台を接近させることが可能である。
【００１４】
上述の特許文献２に開示されている透過型電子顕微鏡用試料ホルダにより、複数個の試料からスペクトル像を同時に取得し、電子エネルギー損失スペクトルおよびケミカルシフトの測定が可能である。
【００１５】
上述の技術では、複数個の試料からスペクトル像を同時取得可能である。しかし、上述の技術のホルダには、試料先端部において電子線が通過するための開口部は設けられているものの、ＴＥＭ試料の作製等で用いられる集束イオンビーム装置（Focused Ion Beam：ＦＩＢ）の装置内でイオンビームが試料に照射するための開口部が設けられておらず、上述の技術のホルダを用いてＦＩＢ内でＴＥＭ用の薄片試料を作製することはできない。そのため、別の試料ホルダを用いてＦＩＢでＴＥＭ試料を作製した後、上述の試料ホルダに設置しなおす必要がある。
【００１６】
特許文献３には、ＦＩＢによるＴＥＭ試料作製およびＴＥＭ観察が可能な試料ホルダについて開示されている。
【００１７】
上述の開示技術は、同一の試料ホルダによりＦＩＢによる試料作製およびＴＥＭ観察が可能であるものの、試料台は一個のみ設置可能であり、また前記試料台は移動不可能であるため、複数個の試料台に設置された試料から同時にＥＥＬＳを取得することは困難である。
【先行技術文献】
【特許文献】
【００１８】
【特許文献１】特開平１０−３０２７００号公報
【特許文献２】特開２０１０−００９９４３号公報
【特許文献３】特開平６−１０３９４７号公報
【発明の概要】
【発明が解決しようとする課題】
【００１９】
本発明の目的は、電子顕微鏡用試料ホルダにおいて複数個の試料台を配置可能であり、少なくとも一つの試料台が移動可能であり、かつ集束イオンビーム装置内で複数個のＴＥＭ試料加工を可能とし、試料ホルダ内に配置した全ての試料から高空間分解能で透過型電子顕微鏡像、電子回折像、スペクトル像、走査透過型電子顕微鏡像等を取得可能とする試料ホルダおよび試料台を提供することにある。
【課題を解決するための手段】
【００２０】
すなわち、本発明の一態様に係る電子顕微鏡用試料ホルダは、複数個の試料台を配置可能であり、試料台を移動させる試料駆動部と、試料台を回転させる回転機構部と、試料ホルダ先端部に開口部とを備える。
【発明の効果】
【００２１】
本発明によれば、複数個の試料台を配置し、かつ少なくとも一つの試料台が移動可能であり、かつ集束イオンビーム装置内で複数個の透過型電子顕微鏡用の試料加工を可能とし、試料ホルダ内に配置した全ての試料から高空間分解能で透過型電子顕微鏡像、電子回折像、スペクトル像、走査透過型電子顕微鏡像等を取得可能とする試料ホルダおよび試料台を実現することができる。
【００２２】
また、透過型電子顕微鏡と集束イオンビーム装置で併用可能な試料ホルダであるため、試料の設置時に大凡の試料位置を設定することができ、従来技術で必要であった三軸方向への粗動機構は一軸方向のみでもよく、試料ホルダ後端部の軽量化が図れ、試料ドリフトも軽減できる。
【図面の簡単な説明】
【００２３】
【図１】本発明の実施例である試料ホルダであり、透過型電子顕微鏡で試料を観察する際の概略上面図（ａ）および側面図（ｂ）である。
【図２】透過型電子顕微鏡により得られる透過型電子顕微鏡像、スペクトル像及び電子エネルギー損失スペクトルの説明図である。
【図３】本発明の実施例である試料ホルダであり、集束イオンビーム装置で試料を加工する際の概略上面図（ａ）および側面図（ｂ）である。
【図４】本発明の実施例である試料ホルダの先端部を拡大した概略上面図（ａ）および（ａ）に示したＡ−Ａ′線に沿った概略断面図（ｂ）である。
【図５】本発明において、試料を設置するための試料台の一例を示す説明図。
【図６】本発明において、試料を設置するための試料台の一例を示す説明図。
【図７】本発明において、図５の試料台を用いて集束イオンビーム装置で透過型電子顕微鏡用の観察試料を作製する際の一例を示す説明図。
【図８】本発明において、図５の試料台を用いて電子分光器を備えた透過型電子顕微鏡によりスペクトル像を取得する際の試料の配置を示す説明図。
【図９】本発明において、図５の試料台を用いて電子分光器を備えた透過型電子顕微鏡によりスペクトル像を取得する際の試料の配置を示す説明図。
【図１０】本発明において、図５の試料台を用いて電子分光器を備えた透過型電子顕微鏡によりスペクトル像を取得する際の試料の配置を示す説明図。
【図１１】本発明において、図５の試料台を用いて電子分光器を備えた透過型電子顕微鏡によりスペクトル像を取得する際の試料の配置を示す説明図。
【図１２】本発明において、図６の試料台を用いて集束イオンビーム装置で透過型電子顕微鏡用の観察試料を作製する際の一例を示す説明図。
【図１３】本発明において、図６の試料台を用いて電子分光器を備えた透過型電子顕微鏡によりスペクトル像を取得する際の試料の配置を示す説明図。
【図１４】本発明において、図６の試料台を用いて電子分光器を備えた透過型電子顕微鏡によりスペクトル像を取得する際の試料の配置を示す説明図。
【図１５】本発明の一実施例が適用される透過型電子顕微鏡の概略構成図。
【図１６】本発明の試料ホルダを用いて、集束イオンビーム装置内で試料台に試料片を固定した後に取得した走査イオン顕微鏡像。
【図１７】複数個の測定試料を接近させた後、取得した透過型電子顕微鏡像。
【図１８】複数個の試料から取得された電子エネルギー損失スペクトル。
【発明を実施するための形態】
【００２４】
以下、本発明の実施の形態を図面に基づいて詳細に説明する。なお、実施の形態を説明するための全図において、同一の部材には原則として同一の符合を付し、その繰り返しの説明は省略する。
【００２５】
図１５は、本発明による一実施の形態である透過型電子顕微鏡装置の構成を模式的に示す概略構成図である。なお、透過型電子顕微鏡装置１０１は、電子分光器１０８を有する。
【００２６】
本実施形態の透過型電子顕微鏡装置１０１は、電子線１０３を放出する電子源１０２と収束レンズ１０４と、対物レンズ１０６と、結像レンズ系１０７（結像レンズ）と蛍光板１０９と、電子分光器１０８と、画像表示装置１１４とデータ記憶装置１１５と、中央制御装置１１６と、を備えている。収束レンズ１０４と対物レンズ１０６の間には、複数個の試料台１３、１４を備えた透過型電子顕微鏡用試料ホルダ（以下、試料ホルダとする）１が配置されている。試料台１３、１４には試料が固定されている。
【００２７】
電子分光器１０８は、磁場セクタ１１０と、多重極子レンズ１１１，１１２と画像検出器１１３とを備えている。
【００２８】
なお、透過型電子顕微鏡装置１０１の構成、電子分光器１０８の構成については、これに限定されない。また、電子分光器１０８を配置する位置も特に限定されない。本実施形態では、蛍光板１０９と画像表示装置１１４との間に電子分光器１０８を配置したが、電子分光器１０８は、結像レンズ系１０７の間に配置してもよい。
【００２９】
この透過型電子顕微鏡装置１０１において、電子源１０２より放出された電子線１０３は、収束レンズ１０４を通過し、試料台１３、１４に固定された試料に照射される。試料を透過した電子線１０３は、対物レンズ１０６と、複数個からなる結像レンズ系１０７を通過し、蛍光板１０９を開けている場合は、電子線１０３は、そのまま電子分光器１０８に進入する。
【００３０】
電子分光器１０８内に進入した電子線１０３は、電子分光器１０８内の電子エネルギー損失スペクトルの収差低減等に用いられる多重極子レンズ１１１、１１２や電子線１０３の有するエネルギー量により分光可能な磁場セクタ１１０を通過した後、透過型電子顕微鏡像、二次元元素分布像、スペクトル像等として、画像検出器１１３により撮影された後、画像表示装置１１４に表示され、データ記憶装置１１５に記憶される。また、磁場セクタ１１０や多重極子レンズ１１１、１１２は中央制御装置１１６において制御される。また、中央制御装置１１６では、透過型電子顕微鏡像、二次元元素分布像、スペクトル像の取得モードの切り替えを制御することができる。
【００３１】
画像検出器１１３は、蛍光板１０９の直下にも配置することができ、電子分光器１０８に進入する前に透過型電子顕微鏡像や電子回折像を取得することができる。電子分光器１０８に電子線１０３を通過させたい場合は、画像検出器１１３を電子線１０３の通路から抜くこともできる。
【００３２】
スペクトル像を取得する場合は、スペクトルを取得したい場所を制限するために、ｘ軸方向すなわちエネルギー分散軸と同じ方向には短く、ｙ軸方向すなわち試料測定位置方向には長い視野制限スリット１１７が挿入されることもある。
【００３３】
試料ホルダ１全体は、試料ホルダ移動装置１１８により透過型電子顕微鏡１０１内を移動させることができる。また試料ホルダ１には試料台を広範囲にわたって試料を移動させることができる粗動駆動７および試料台を確実に所望の位置に接近させるために位置調整を行うための微動機構１１９を有し、微動機構１１９は試料移動装置１２０により試料台を移動することができる。
【００３４】
図１５において、試料ホルダ１の粗動機構７は手動で駆動用試料ステージを移動させることを想定して記載されているが、微動機構１１９と同様に試料移動装置１２０により移動させることもできる。
【００３５】
試料台１３，１４の少なくとも一方は粗動駆動７や微動機構１１９により、試料ホルダ１の長軸方向に移動可能であり、試料台１３、１４に固定された試料の電子エネルギー損失スペクトルが同時に取得できるように随時移動される。試料台１３、１４に固定された試料の配置は、蛍光板９や画像表示装置１４などにより確認しながら行うことができる。
【００３６】
図１は、図１５に示した試料ホルダ１であり、透過型電子顕微鏡で試料を観察する際の概略上面図（ａ）および側面図（ｂ）である。
【００３７】
試料ホルダ１の先端部には、ホルダ先端開口部９が設けられている。また、試料ホルダ１の中央には、ガイドピン２、ガイドカバー３、ガイドピン穴４が設けられている。ガイドピン２は、透過型電子顕微鏡１０１の筐体の大きさによって可変することが可能である。例えば、加速電圧が２００ｋＶの場合は、現状のガイドピン位置、加速電圧が３００ｋＶの場合は、ガイドピン穴４もガイドピン２に変更することができる。また、ガイドピン２の位置を変更する際、ガイドカバー３も同時にスライドさせガイドピン２の固定を強固にしている。
【００３８】
試料ホルダ１の後端部には、ツマミ５、回転機構６、粗動機構７およびコネクタ８を有している。ツマミ５を押すことにより回転機構６の固定が解除され、回転機構６から後端部、また試料ホルダの先端部が回転することになる。試料ホルダ１は二層構造となっており、粗動機構７と試料ホルダの先端部と連結しており、回転機構６の回転に伴い、粗動機構７および粗動機構７と連結した試料ホルダの先端部が回転する。本回転機構により、透過型電子顕微鏡により観察する場合と集束イオンビーム装置により透過型電子顕微鏡用試料を作製する場合の試料の配置を回転することができる。
【００３９】
粗動機構７は、試料ホルダ１の末端部に設置され、試料ホルダ１の長軸方向に移動可能である。本発明においてはマイクロメータヘッドを用いたが、粗動機構７による試料ステージの移動方法についてはこれに限定されるものではない。
【００４０】
微動機構１１９は試料ホルダ１の内部に配置されており、コネクタ８は、微動機構１１９を動作させるための電気ケーブルと試料微動制御装置１２０とを接続するために用いられる。本発明において、微動機構１１９の動作においては有線式の接続方法を選択したが、無線形式で微動機構１１９を動作させることも可能である。また、コネクタ８は電子線１０３の入射方向に対して下部側に配置されることが望ましい。また、回転機構６の回転に伴い、粗動機構７と試料ホルダの先端部の間に配置された微動機構１１９も回転する。
【００４１】
図３は、図１５に示した試料ホルダ１であり、集束イオンビーム装置で透過型電子顕微鏡用の試料を加工する際の概略上面図（ａ）および側面図（ｂ）である。
【００４２】
図３において、集束イオンビーム装置で透過型電子顕微鏡用の試料を加工する際には、図１の透過型電子顕微鏡１０１で観察する場合における先端部と比較するとホルダ先端開口部９が直交した位置に配置される。本発明では、電子線の入射方向とイオンビームの入射方向が直交する場合を想定しているが、試料ホルダ１の先端部の回転はこれに限るものではない。
【００４３】
図４は、本発明の実施例である試料ホルダの先端部を拡大した概略上面図（ａ）および（ａ）に示したＡ−Ａ′線に沿った概略断面図（ｂ）である。
【００４４】
図４において、前述の通り試料ホルダ１の先端部にはホルダ先端開口部９が設けられている。また、試料ステージ１８は試料台１３を設置するためのステージであり、試料ホルダ１内に配置されている。試料台１３は、試料台押さえ板１１を介して押さえネジ１２により、試料ステージ１８に固定される。
【００４５】
一方、試料台１４は駆動用試料ステージ１５に固定される。固定方法は前述の通り、試料台押さえ板１７を介して押さえネジ１６により駆動用試料ステージ１５に固定される。なお、それぞれの試料台の試料ステージへの固定方法はこれに限るものではなく、例えば押しバネによる固定や粘着テープ固定も考えられる。
【００４６】
また、駆動用試料ステージ１５は試料台駆動用ロッド２１の先端部側に配置されているため、粗動機構７や微動機構１１９により試料台１４をＸ，Ｙ，Ｚの三軸方向へ独立に移動させることができる。本実施例では、粗動機構７は、試料ホルダ１の長軸方向のみであるが、微動機構１１９は三軸方向へ移動可能である。また、試料ホルダ１内に試料台を二つ配置し、そのうち一つの試料台の移動方法について説明したが、試料ホルダ１に配置させる試料台および移動させる試料台は二つ以上でも特に問題はない。
【００４７】
更に、試料ステージ１８及び駆動用試料ステージ１５において、高さ調整ネジ１９、２０が設けられている。試料ステージ１８および駆動用試料ステージ１５に設置された試料台１３，１４の高さが微動機構１１９による動作範囲内で無い場合は、高さ調整ネジ１９、２０により試料台１３、１４の高さを独立して調整することができる。この高さ調整ネジ１９、２０により、粗動機構７は長軸方向のみの駆動でよく、微動機構１１９に三軸方向の駆動をさせれば十分である構造にすることが可能となった。粗動機構７自体に三軸方向の駆動をもたせると、駆動機構自体が大きくなり、サイドエントリー方式の透過電子顕微鏡において、振動の影響を受けやすくなってしまう。また、粗動機構７自体で三軸方向の調整は困難であることから、本実施例のように、試料ホルダ１の長軸方向のみで微動機構１１９は三軸方向へ移動可能であるようにした方が調整しやすい。
【００４８】
図５は、本発明において試料を設置するための試料台の一例を示す説明図である。試料台１３中には、試料ステージ１８、駆動用試料ステージ１５に固定する際に用いられる押さえネジ１２，１６を通過させるための押さえネジ用開口部３１が設けられている。また、集束イオンビーム装置内で抽出された試料片を固定するため試料固定箇所３２，３３，３４も設けられている。集束イオンビーム装置内で抽出した試料片は、後述する電子エネルギー損失スペクトルの測定方法に応じてどの箇所に固定しても問題ない。また、全ての箇所に試料片を同時に固定することも可能である。
【００４９】
図６は、本発明において試料を設置するための試料台の別の一例を示す説明図である。図５での説明と同様に試料ステージ１２，１８に固定する際に用いられる押さえネジ１２，１６を通過させるための押さえネジ用開口部３１が設けられている。また、集束イオンビーム装置内で抽出した試料片は、試料固定箇所３２に固定される。
【００５０】
上述のように、試料を固定するための試料台の一例を示したが、試料台の形状はこれに限るものではなく、例えば試料台を試料ステージに固定する際に押さえネジを用いずに固定する際には、押さえネジ用開口部３２は不要となる。本実施例の試料台では、試料取り付け位置が試料台の中心付近にあるため、試料台の向きを変えても、試料位置が変わらないメリットがある。
【００５１】
図７は、図５の試料台を用いて集束イオンビーム装置で透過型電子顕微鏡用の観察試料を作製する際の一例を示した説明図である。図７（ａ）は、イオンビームの入射方向に対して垂直方向から投影した図、図７（ｂ）は、イオンビームの入射方向に対して平行方向から投影した図であり、試料ホルダ１に試料台４１、４２を設置した後、集束イオンビーム装置内で試料片４８、４９を試料固定箇所３４に固定した場合の説明図である。
【００５２】
試料片４８、４９の試料台４１、４２への固定はどちら側から進めてもよく、片側に試料片を固定させた後、もう一方の試料片を固定することができるため、二試料間の配置を事前に精度よく設定することができる。
【００５３】
試料台４１，４２に固定した試料片４８、４９は、カーボン、タングステン、アルミニウム、白金、金等が堆積された保護膜側からイオンビームを入射し、透過型電子顕微鏡の観察や電子エネルギー損失スペクトルの測定が可能な試料厚みまで薄片化される。試料片４８，４９を薄片化する際には、試料ホルダ１の回転機構６により試料ホルダ１の先端部に設けられた試料ホルダ先端開口部９をイオンビームの入射方向側に配置する。すなわち、薄片化する際に観察されるイオンビーム像は図７（ｂ）となり、試料台４１、４２の断面方向が観察されることになる。
【００５４】
集束イオンビーム装置内において、回転機構６により試料ホルダ１の先端部を回転させるほど十分な空間がある場合は、図７（ａ）のような配置でのイオンビーム像も撮影可能である。
【００５５】
図８は、本発明において、図５の試料台を用いて電子分光器を備えた透過型電子顕微鏡によりスペクトル像を取得する際の試料の配置を示す説明図であり、試料ホルダ１の先端部を回転機構６により回転させて透過型電子顕微鏡での観察用に設定した後、透過型電子顕微鏡内に挿入されている。
【００５６】
透過型電子顕微鏡内でも十分な空間が確保されている場合には、回転機構６により透過型電子顕微鏡内で回転することも可能である。
【００５７】
試料台４１は試料ステージ１８に固定、試料台４２は駆動用試料ステージ１５に固定されている場合を示しており、粗動機構７や微動機構１１９により試料台４２を移動させることにより、試料片４８、４９間の距離を接近させることができる。試料片４８、４９中は先述の通り保護膜４３、４４および測定試料４５、４６により構成されている。
【００５８】
試料ホルダ１の長軸方向が電子分光器１０８のエネルギー分散軸と直交して蛍光板１０９に投影される場合は、試料片４８、４９の側面同士を接近させた後、視野制限スリット１１７によりスペクトルの取得領域４７を制限し、測定試料４５，４６から同時に電子エネルギー損失スペクトルを取得できる。
【００５９】
図９は、本発明において図５の試料台を用いて電子分光器を備えた透過型電子顕微鏡によりスペクトル像を取得する際の試料の配置を示す説明図であり、試料ホルダ１の長軸方向が電子分光器１０８のエネルギー分散軸と平行に蛍光板１０９に投影される場合の試料片４８，４９の配置を示している。
【００６０】
図８と同様に、試料片４８，４９を接近させた後、制限視野スリット１１７によりスペクトルの測定領域４７を制限して電子エネルギー損失スペクトルを取得できる。
【００６１】
図１０は、本発明において図５の試料台を用いて電子分光器を備えた透過型電子顕微鏡によりスペクトル像を取得する際の試料の配置を示す別の説明図であり、試料ホルダ１の長軸方向が電子分光器１０８のエネルギー分散軸と平行に蛍光板１０９に投影される場合の試料片４８、４９の配置を示している。
【００６２】
図９の場合、試料台４１もしくは試料台４２を取り外すことなく試料片４８、４９を接近させることが可能であるものの、測定試料４６は保護膜４４から離れた箇所を測定することになるため、試料膜厚が電子エネルギー損失スペクトルを測定するのに十分薄くなっていない場合がある。
【００６３】
前述の場合には、図１０のように、集束イオンビーム装置により透過型電子顕微鏡用試料を作製した後、例えば試料台４２のみ反転させて保護膜４３、４４同士が十分接近できる配置にし、測定試料４５、４６とも電子エネルギー損失スペクトルを測定するのに十分薄い箇所を接近させることができる。
【００６４】
図１１は、本発明において図５の試料台を用いて電子分光器を備えた透過型電子顕微鏡によりスペクトル像を取得する際の試料の配置を示す別の説明図であり、試料ホルダ１の長軸方向が電子分光器１０８のエネルギー分散軸と平行に蛍光板１０９に投影される場合の試料片４８、４９の配置を示している。
【００６５】
前述の通り、図９、図１０では、試料片４８、４９の側面を試料台４１、４２に固定していたが、試料片の固定を強固にしたい場合は、試料固定箇所３３に試料片を固定させ、試料台の一方を反転させた後、試料片４８、４９を接近させてもよい。
【００６６】
図５の試料台を用いた場合、試料固定箇所３２に試料片を固定させた場合においても、同様に二試料間を接近させ、電子エネルギー損失スペクトルを取得できることは言うまでもない。
【００６７】
図１２は、本発明において図６の試料台を用いて集束イオンビーム装置で透過型電子顕微鏡用の観察試料を作製する際の一例を示す説明図である。図１２（ａ）は、イオンビームの入射方向に対して垂直方向から投影した図、図１２（ｂ）は、イオンビームの入射方向に対して平行方向から投影した図であり、試料ホルダ１に試料台４１、４２を設置した後、集束イオンビーム装置内で試料片４８、４９を試料固定箇所３４に固定した場合の説明図である。
【００６８】
図６の試料台を用いた場合においても、試料片４８、４９の試料台４１、４２への固定はどちら側から進めてもよく、片側に試料片を固定させた後、もう一方の試料片を固定させることができるため、二試料間の配置を事前に精度よく設定することができる。
【００６９】
図７と同様に、試料台４１、４２に固定した試料片４８、４９は、カーボン、タングステン、アルミニウム、白金、金等が堆積された保護膜側からイオンビームを入射し、透過型電子顕微鏡の観察や電子エネルギー損失スペクトルの測定が可能な試料厚みまで薄片化される。試料片４８、４９を薄片化する際には、試料ホルダ１の回転機構６により試料ホルダ１の先端部に設けられた試料ホルダ先端開口部９をイオンビームの入射方向側に配置する。すなわち、薄片化する際に観察されるイオンビーム像は図１２（ｂ）となり、試料台４１、４２の断面方向が観察されることになる。
【００７０】
図１３は、本発明において図６の試料台を用いて電子分光器を備えた透過型電子顕微鏡によりスペクトル像を取得する際の試料の配置を示す説明図であり、試料ホルダ１の先端部を回転機構６により回転させて透過型電子顕微鏡での観察用に設定した後、透過型電子顕微鏡内に挿入されている。
【００７１】
試料台４１は試料ステージ１８に固定、試料台４２は駆動用試料ステージ１５に固定されている場合を示しており、粗動機構７や微動機構１１９により試料台４２を駆動させることにより、試料片４８、４９間の距離を接近させることができる。試料片４８、４９中は先述の通り保護膜４３、４４および測定試料４５、４６により構成されている。
【００７２】
試料ホルダ１の長軸方向が電子分光器１０８のエネルギー分散軸と直交して蛍光板１０９に投影される場合は、試料片４８、４９の側面同士を接近させた後、視野制限スリット１１７によりスペクトルの取得領域４７を制限し、測定試料４５、４６から同時に電子エネルギー損失スペクトルを取得できる。
【００７３】
図１４は、本発明において図６の試料台を用いて電子分光器を備えた透過型電子顕微鏡によりスペクトル像を取得する際の試料の配置を示す別の説明図であり、試料ホルダ１の長軸方向が電子分光器１０８のエネルギー分散軸と平行に蛍光板１０９に投影される場合の試料片４８，４９の配置を示している。
【００７４】
図１３と同様に、試料片４８，４９を接近させた後、制限視野スリット１１７によりスペクトルの測定領域４７を制限して電子エネルギー損失スペクトルを取得できる。
【００７５】
次に、上記した実施の形態の具体例を示す。上述した試料ホルダ１を用いて複数個の試料のスペクトル像を同時に取得した具体例を示す。本具体例では、透過型電子顕微鏡１０１を用いて実施し、２個の試料よりスペクトル像を同時に取得し、スペクトル像より得られた電子エネルギー損失スペクトルのケミカルシフトを測定した。測定試料は、三酸化二マンガン（Ｍｎ2Ｏ3）粒子（測定試料Ａ）と酸化マンガン（ＭｎＯ）粒子（測定試料Ｂ）とした。測定試料は各粉末粒子を樹脂埋めした後、集束イオンビーム装置内でそれぞれ試料台に固定した。
【００７６】
測定試料Ａ４５を含んだ試料片４８が固定された試料台４１は試料ホルダ先端部側すなわち試料ステージ１８に設置し、測定試料Ｂ４６を含んだ試料片４９が固定された試料台４２は、試料駆動用ロッド２１に接続された駆動用試料ステージ１５に設置した。
【００７７】
図１６は、本発明の試料ホルダ１を用いて、集束イオンビーム装置内で駆動用試料ステージ１５に設置された試料台４２に試料片４９を固定した後に取得した走査イオン顕微鏡像である。試料台の断面方向から観察した。図１６より、試料ホルダ１を用いて、集束イオンビーム装置内で試料片の固定、薄片化が可能であることを意味している。
【００７８】
上述の通り、試料片を試料台に固定し薄片化した後、試料ホルダ１の先端部を透過型電子顕微鏡での観察用の試料位置に設定し、集束イオンビーム装置から引き出した後、透過型電子顕微鏡へ挿入してスペクトル像を取得した。
【００７９】
スペクトル像取得時の透過型電子顕微鏡１０１の加速電圧を２００ｋＶ、電子線３の取り込み角を６mrad、エネルギー分散を０.０５ｅＶ／画素とした。スペクトル像の取得に用いた画像検出器１１３は、１０２４画素×１０２４画素の二次元検出器である。
【００８０】
まず、透過型電子顕微鏡１０１の観察倍率を２００倍とし、測定試料Ｂ４６をできるだけ測定試料Ａ４５に接近するように粗動機構７を用いて移動した。両者の位置については、蛍光板１０９上の画像を用いて確認し、両者の試料ができるだけ蛍光板１０９の中心部に配置されるよう移動した。
【００８１】
次に、透過型電子顕微鏡１における表示上の観察倍率を１００００倍に変更し、測定試料Ａ４５と測定試料Ｂ４６が電子分光器８のエネルギー分散軸に対して直交するように測定試料Ｂ４６を移動した後、測定試料Ａ４５と測定試料Ｂ４６のスペクトル像が同時に取得可能となるように試料移動制御装置１２０により測定試料Ｂ４６を更に接近させた。この際、両者の位置の確認は、画像検出器１１３により得られた透過型電子顕微鏡像を用いた。
【００８２】
図１７は、測定試料Ａ４５と測定試料Ｂ４６を接近させた後、取得した透過型電子顕微鏡像である。図１７において、測定試料Ａ４５と測定試料Ｂ４６が約２０ｎｍの間隔で接近している。また、両試料はスペクトルの取得領域４７内に位置しており、両者の試料から同時にスペクトル像が取得可能であることがわかった。また、図１７における透過型電子顕微鏡像から各試料が鮮明であることから透過型電子顕微鏡像を観察するのに満足する試料ドリフトであることを意味している。
【００８３】
次に観察倍率を５００００倍として、測定試料Ａ４５と測定試料Ｂ４６のスペクトル像を同時に取得した。スペクトル像は、マンガンのＬ殻吸収端領域で取得し、マンガンのＬ殻吸収端領域から得られたスペクトル像において、各試料から電子エネルギー損失スペクトルを抽出した。
【００８４】
図１８は、両試料から取得された電子エネルギー損失スペクトルである。両者の試料間のケミカルシフトを計測した結果、酸化マンガンと比較して三酸化二マンガンの方が約１.６ｅＶ高ロスエネルギー側にシフトしていることがわかった。
【００８５】
従来は、集束イオンビーム装置での透過型電子顕微鏡用試料加工において、別の試料ホルダで作製した試料を少なくとも一つの試料台が移動可能な試料ホルダへ付け替える必要があり、試料作製から透過型電子顕微鏡観察、電子エネルギー損失スペクトルの測定までの作業効率が悪かった。
【００８６】
しかし、本技術により、透過型電子顕微鏡用の試料作製から観察まで一つの試料ホルダで可能となった。このように本発明によれば、複数個の試料の透過型電子顕微鏡用試料作製から、電子エネルギー損失スペクトルを同時にかつ高空間分解能で取得することが可能であるため、これまで測定が煩雑であった試料作製を簡易化できるため、試料に対するケミカルシフトの測定範囲が広げることができる。
【００８７】
本実施例では、本試料ホルダを電子エネルギー損失スペクトルの測定に適用した内容について説明したが、本発明は前記の実施の形態に限定されるものではなく、例えば、電子回折、測長、更には球面収差補正付き（走査）透過型電子顕微鏡の収差補正等への適用が可能である。
【００８８】
本実施例において、試料ホルダ１の適用について、電子エネルギー損失スペクトルの測定のみを記載した、しかし、標準試料と測定試料の情報を正確に測定するための手段として適用できる。
【００８９】
また、試料ホルダ１の先端部にＯ−リングや先端部カバーを装着すれば、大気に曝露することなく集束イオンビーム装置から透過型電子顕微鏡への移動も可能である。
【００９０】
更には、駆動用試料ステージに試料台を設置せず、先端を先鋭化したタングステン線等を設置し、試料ステージに設置された試料に接触させることにより、電圧印加測定も可能である。また、タングステン線の押し込み方を調整することにより、試料の力学特性も測定できる。試料台、タングステン線の配置についてはこれに限るものではない。
【００９１】
また、集束イオンビーム装置と透過型電子顕微鏡や走査型電子顕微鏡が組み合わされた装置の場合、複数個の試料台が設置された試料ホルダ１のホルダ先端開口部９からイオンビームを入射させて複数個の試料台に固定された試料を薄片化しながら、透過像や元素分析結果を得ることができる。
【００９２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９３】
１  試料ホルダ
２  ガイドピン
３  ガイドカバー
４  ガイドピン穴
５  ツマミ
６  回転機構
７  粗動機構
８  コネクタ
９  ホルダ先端開口部
１１、１７  試料台押さえ板
１２、１６  押さえネジ
１３、１４，４１，４２  試料台
１５  駆動用試料ステージ
１８  試料ステージ
１９、２０  高さ調整ネジ
２１  試料台駆動用ロッド
３１  押さえネジ用開口部
３２、３３、３４  試料固定箇所
４３、４４  保護膜
４５、４６  測定試料
４７  スペクトルの取得領域
４８、４９  試料片
１０１  透過型電子顕微鏡
１０２  電子源
１０３  電子線
１０４  集束レンズ
１０６  対物レンズ
１０７  結像レンズ系
１０８  電子分光器
１０９  蛍光板
１１０  磁場セクタ
１１１、１１２  多重極子レンズ
１１３  画像検出器
１１４  画像表示装置
１１５  データ記憶装置
１１６  中央制御装置
１１７  視野制限スリット
１１８  試料ホルダ移動装置
１１９  微動機構
１２０  試料微動制御装置
【図１】
0005846931.tif 000002
【図２】
0005846931.tif 000003
【図３】
0005846931.tif 000004
【図４】
0005846931.tif 000005
【図５】
0005846931.tif 000006
【図６】
0005846931.tif 000007
【図７】
0005846931.tif 000008
【図８】
0005846931.tif 000009
【図９】
0005846931.tif 000010
【図１０】
0005846931.tif 000011
【図１１】
0005846931.tif 000012
【図１２】
0005846931.tif 000013
【図１３】
0005846931.tif 000014
【図１４】
0005846931.tif 000015
【図１５】
0005846931.tif 000016
【図１６】
0005846931.tif 000017
【図１７】
0005846931.tif 000018
【図１８】
0005846931.tif 000019